(57)【特許請求の範囲】
【請求項１】
第１空間と第２空間との間に設けられる障子を支持し、略水平に配置される既設底部と、既設底部から第１空間側で上方に突出する第１既設レールと、既設底部から第２空間側で上方に突出し、上部が切除された第２既設レールと、既設底部から上方に立上る立上り部とを含む既設の下枠に装着される改修用下枠であって、
第１既設レールの上端部に支持される被支持部を有し、被支持部が第１既設レールに支持される支持状態で、被支持部よりも第２空間側に、第２空間に向かうにつれて下方に傾斜するように形成され、かつ第１既設レールに第２空間側から下方に傾斜しながら臨む透孔が形成される傾斜部を有する新設底部と、
新設底部に設けられ、前記支持状態で、立上り部に第２空間側から当接される当接部と、
新設底部から第１空間側で上方に突出する第１新設レールと、
新設底部から第２空間側で上方に突出する第２新設レールとを含むことを特徴とする改修用下枠。
【請求項２】
前記新設底部の傾斜部は、被支持部が第１既設レールによって支持された状態で、第１既設レールに第２空間側から対向するように傾斜して形成されることを特徴とする請求項１記載の改修用下枠。
【請求項３】
前記第１新設レールの上端部は既設底部から上方に立上る立上り部の上端部に略平行に形成されることを特徴とする請求項１または２記載の改修用下枠。
【発明の詳細な説明】
【０００１】
【発明の属する技術分野】
本発明は、障子を保持するための既設の枠体の下枠に装着される改修用下枠に関する。
【０００２】
本発明において、用語「略水平」は、水平および水平に近い状態を含み、用語「略鉛直」は、鉛直および鉛直に近い状態を含み、用語「略垂直」は、垂直および垂直に近い状態を含み、用語「略平行」は、平行および平行に近い状態を含む。
【０００３】
【従来の技術】
図４は、典型的な従来の技術の改修用下枠１を示す断面図である。改修用下枠１は、既設の下枠２に設けられていた既設レールを切除し、レールを切除した既設の下枠２に装着される。この改修用下枠１は、平坦状の新設底部３と、新設底部３から突出する新設レール４とを有し、新設底部３において、既設の下枠２の既設底部５にビス６を用いて固定される。
【０００４】
【発明が解決しようとする課題】
このような従来の技術では、既設の下枠２の既設レールを、基端部において切断し、完全に切除しているので、改修用下枠１は、既設底部５にビス６を螺着して固定しなければならず、既設底部５にねじ孔が形成されてしまう。このように既設底部５にねじ孔が形成されてしまうと、水がこのねじ孔を通過して、既設の下枠２が設けられる躯体に浸入してしまう。このように従来の技術では、水密性が低下してしまうという課題を有する。
【０００５】
本発明の目的は、水密性を低下させることなく、既設の下枠に容易に装着して、枠体を改修することができる改修用下枠を提供することである。
【０００６】
【課題を解決するための手段】
請求項１記載の本発明は、第１空間と第２空間との間に設けられる障子を支持し、略水平に配置される既設底部と、既設底部から第１空間側で上方に突出する第１既設レールと、既設底部から第２空間側で上方に突出し、上部が切除された第２既設レールと、既設底部から上方に立上る立上り部とを含む既設の下枠に装着される改修用下枠であって、
第１既設レールの上端部に支持される被支持部を有し、被支持部が第１既設レールに支持される支持状態で、被支持部よりも第２空間側に、第２空間に向かうにつれて下方に傾斜するように形成され、かつ第１既設レールに第２空間側から下方に傾斜しながら臨む透孔が形成される傾斜部を有する新設底部と、
新設底部に設けられ、前記支持状態で、立上り部に第２空間側から当接される当接部と、
新設底部から第１空間側で上方に突出する第１新設レールと、
新設底部から第２空間側で上方に突出する第２新設レールとを含むことを特徴とする改修用下枠である。
【０００７】
本発明に従えば、立上り部に当接部を当接させ、第１既設レールに被支持部を支持させて、改修用下枠を既設の下枠に載置して装着することができる。改修用下枠の新設底部には、傾斜部に、第１既設レールに第２空間側から下方に傾斜しながら臨む透孔が形成されており、この透孔にたとえばビスなどの締結具を挿通させ、この締結具を用いて、新設底部を第１既設レールに固定して、改修用下枠を既設の下枠に固定することができる。このように改修用下枠は、既設の下枠の第１既設レールを利用して固定されるので、既設の下枠の既設底部には、締結具を挿通または螺着させるための孔を形成する必要がない。したがって既設底部には、たとえば雨水などの水を既設の下枠で受けても、その水が下方に通過してしまうおそれのある孔を形成する必要がないので、水密性が低下してしまうことを防ぐことができる。
【０００８】
また本発明は、前記新設底部の傾斜部は、被支持部が第１既設レールによって支持された状態で、第１既設レールに第２空間側から対向するように傾斜して形成されることを特徴とする。
【０００９】
本発明に従えば、既設の下枠の第２既設レールの上部を切除して、第１既設レールに被支持部を支持させて、改修用下枠が既設の下枠に装着され、ビスなどの締結具を用いて傾斜部を第１既設レールに固定することによって、改修用下枠が既設の下枠に固定される。このように改修用下枠は、傾斜部と既設の下枠の第１既設レールを利用して固定されるので、既設の下枠の既設底部には、締結具を挿通または螺着させるための孔を形成する必要がない。したがって既設底部には、たとえば雨水などの水を既設の下枠で受けても、その水が下方に通過してしまうおそれのある孔を形成する必要がないので、水密性が低下してしまうことを防ぐことができる。
さらに本発明は、前記第１新設レールの上端部は既設底部から上方に立上る立上り部の上端部に略平行に形成されることを特徴とする。
【００１０】
【発明の実施の形態】
図１は、本発明の実施の一形態の改修用下枠１０を示す鉛直断面図である。改修用下枠１０は、第１空間である屋内空間１１と第２空間である屋外空間１２とを仕切る躯体である壁体１３に設けられる既設の引戸の枠体１４を構成する下枠１５に装着され、この既設の枠体（以下「既設枠体」という場合がある）１４を改修するために用いられる。
【００１１】
既設の下枠（以下「既設下枠」という場合がある）１５は、見付け方向（図１の紙面に垂直な方向）に延びる部材であって、既設底部１６、第１既設レール１７、第２既設レール１８および立上り部１９を含んで構成される。既設底部１６は、略水平であって、見込み方向一方（図１の左方）となる屋外空間１２に向かうにつれて下方（図１の下方）に傾斜する排水勾配を有して配置される。見込み方向は、壁体１３に略垂直である略水平な方向であり、見付け方向は、壁体１３に略平行かつ見込み方向に略垂直である略水平な方向である。
【００１２】
屋内空間１１側の第１既設レール１７は、既設底部１６から上方に突出する。第１既設レール１７よりも屋外空間１２側の第２既設レール１８は、既設底部１６から上方に突出する。立上り部１９は、第１既設レール１７よりも屋内空間１１側で、既設底部１６の屋内空間１１側の端部から第１および第２既設レール１７，１８よりも上方に立上る。上方および下方（上下方向）は、略鉛直な方向であって、見込み方向および見付け方向に略垂直である。
【００１３】
改修用下枠１０は、このような既設下枠１５に装着されて、同様に見付け方向に沿って延びる長手状の部材であって、たとえばアルミニウム合金の押出形材を用いて形成される。この改修用下枠１０は、基本的に、新設底部２０と、当接部２１と、第１新設レール２２と、第２新設レール２３とを含んで構成される。
【００１４】
新設底部２０は、第１既設レール１７の上端部２７に当接して支持される第１被支持部２５と、第２既設レール１８に上方から臨むレール対向部２６を有する。改修用下枠２０を装着するにあたって、既設下枠１５の第２既設レール１８は、その上部２８が切除される。レール対向部２６は、図１に示すように上部が切除された第２既設レール１８からすき間をあけてもよいし、当接または接していてもよい。第１被支持部２５は、第１既設レール１７に支持された状態で、第１既設レール１７に対して見込み方向に変位自在に構成されている。以下も同様に、理解を容易にするために、既設下枠１５に関する構成について、第２既設レール１８の切除如何に拘わらず、同一名称を用い、同一符号を付す。
【００１５】
改修用下枠１０は、このように新設底部２０が支持される既設下枠１５による支持状態（以下、単に「支持状態」という場合がある）で、既設下枠１５に装着される。以下の改修用下枠１０について、改修用下枠１０が上述の既設下枠１５による支持状態にあると想定して説明する。
【００１６】
新設底部２０は、第１被支持部２５よりも屋外空間１２側であって、第１被支持部２５とレール対向部２６との間に、レール対向部２６に向かうにつれて下方に傾斜するように形成される傾斜部３０を有する。新設底部２０は、全体として、屋外空間１２に向かうにつれて下方に傾斜する排水勾配を有するように形成されるが、傾斜部３０は、単に勾配を有するだけではなく、上方側および屋外空間１２側から第１既設レール１７に対向するように形成される。
【００１７】
この傾斜部３０には、傾斜部３０を厚み方向に挿通して、第１既設レール１７に屋外空間１２側から下方に傾斜しながら臨む透孔３１が形成される。透孔３１の中心軸線Ｌ１は、見込み方向他方（図１の右方）となる屋内空間１１に向かうにつれて下方に傾斜し、第１既設レール１７を挿通する。
【００１８】
当接部２１は、新設底部２０の第１被支持部２５寄りの端部に設けられ、既設下枠１５の立上り部１９に屋外空間１２側から当接される。当接部２１には、シール部材３３が設けられており、立上り部１９に水密に当接させることができる。
【００１９】
第１新設レール２２は、第１既設レール１７の上方に配置されるように設けられる。この第１新設レール２２は、新設底部２０から上方に、立上り部１９の上端部３５よりも下方の位置まで突出するように形成される。
【００２０】
第２新設レール２３は、第２既設レール１８の上方に配置されるように設けられる。この第２新設レール２３は、新設底部２０から上方に、立上り部１９の上端部３５よりも下方の位置まで突出するように形成される。本実施の形態では、第２新設レール２３は、第１新設レール２２よりも下方の位置まで突出している。
【００２１】
また改修用下枠１０は、第３新設レール３６を有する。新設底部２０は、屋外空間１２側の端部が既設下枠１５よりも屋外空間１２に向けて突出するように形成されており、この屋外空間１２側の端部から上方に突出して、第３新設レール３６が形成される。
【００２２】
また新設底部２０の既設下枠１５よりも屋外空間１２に向けて突出する部分には、第２被支持部３８が設けられる。第２被支持部３８は、その第２被支持部３８の屋内空間１１側の端部から、既設下枠１５よりも屋外空間１２側の位置で、上方に立上る連結部３９を介して、新設底部２０の既設下枠１５を上方から覆う部分４０に連なっている。この第２被支持部３８には、厚み方向に挿通する透孔４４が形成されている。
【００２３】
このような改修用下枠１０を、既設下枠１５に装着するにあたっては、上述の支持状態で、傾斜部３０の透孔３１と同軸となるように、したがって傾斜部３０の透孔３１の中心軸線Ｌ１と一致する中心軸線を有するねじ孔４６が、第１既設レール１７に形成される。また第２既設レール１８の上部２８が切除される。
【００２４】
さらに既設下枠１５の既設底部１６の屋外空間１２側の端部から下方に立下る立下り部４８に、既設下枠１５に対する固定位置を上下方向に調整自在に、取付部材４９が設けられる。取付部材４９は、２つの取付片５０，５１を有するＬ字状の部材である。
【００２５】
一方の取付片５０に長孔５２が形成され、この長孔５２を挿通し、かつ一方の取付片５０に頭部が係止されるビス５３が、既設下枠１５のねじ孔５５が形成される立下り部４８に、ねじ孔５５を挿通して螺着され、固定される。このようにして取付部材４９は、固定位置を調整自在に設けられる。この状態で他方の取付片５１は、既設下枠１５から外部空間１２側に突出している。この他方の取付片５１には、ねじ孔５６が形成されている。
【００２６】
このように既設下枠１５を加工した後、改修用下枠１０が既設下枠１５に載置される。改修用下枠１０が既設下枠１５に載置された後、取付部材４９の固定位置が調整され、第１被支持部２５が、第１既設レール１７に支持され、かつ第２被支持部３８が取付部材４９の他方の取付片５１によって支持されるとともに、当接部２１が立上り部１９に当接されて、上述の支持状態にされる。このとき、本実施の形態では、レール対向部２６は、第２既設レールから間隔をあけて配置される。
【００２７】
支持状態にした後、傾斜部３０の透孔３１を挿通し、かつ傾斜部３０に頭部が係止されるビス６３が、ねじ孔４６に挿通されて、第１既設レール１７に螺着され、傾斜部３０が第１既設レール１７に固定される。また第２被支持部３８の透孔４４を挿通し、かつ第２被支持部３８に頭部が係止されるビス６４が、ねじ孔５６に挿通されて、第１既設レール１７に螺着され、第２被支持部３８が取付部材４９を介して立下り部４８に固定される。このように改修用下枠１０を見込み方向に関して、２箇所で支持した状態で２箇所で固定し、改修用下枠１０を安定した状態で確りと既設下枠に装着することができる。
【００２８】
図２は、改修用下枠１０を既設下枠１５に装着して改修された枠体１４を含む引戸７０を示す鉛直断面図である。図３は、引戸７０を示す水平断面図である。建具である引戸７０は、出入口および窓などの開閉自在な開口が形成するために、壁体１３に設けられる。引戸７０は、改修された枠体（以下「改修枠体」という場合がある）７１と、この改修枠体７１によって保持される障子、本実施の形態では３枚の障子７２，７３，７４とを含む。
【００２９】
改修枠体７１は、既設枠体１４と、改修用下枠１０とを含む。既設枠体１４は、上下方向に延び、見付け方向に間隔をあけて配置される２つの竪枠７７，７８と、見付け方向に延び、上下方向に間隔をあけて配置される上枠７９および前記既設下枠１５とが、四周枠組みされて構成される。各竪枠７７，７８、上枠７９および既設下枠１５は、たとえばアルミニウム合金の押出形材によって形成される。
【００３０】
この既設枠体１４は、壁体１３の開口部に、既設下枠１５を下部に配置して嵌まり込み、壁体１３に固定される。既設枠体１４が、壁体１３に固定されたままの状態で、上述のように、既設下枠１５に改修用下枠１０を上側（開口の内側）から装着して改修され、改修枠体７１が構成される。
【００３１】
最も屋内空間１１寄りの第１障子７２は、２つの竪框、上框および下框を含んで枠組みされる障子枠にガラスを保持して構成されるガラス障子であって、第１新設レール２２上に保持される。第１障子７２よりも屋外空間１２側に設けられる第２障子７３は、障子枠自体の構成は異なるが、第１障子７２と同様に、障子枠にガラスを保持して構成されるガラス障子であって、第２新設レール２３上に保持される。
【００３２】
第１および第２障子７２，７３の少なくともいずれか一方は、見付け方向に移動自在に設けられ、障子を移動させることによって開口を開閉することができる。本実施の形態では、第１および第２障子７２，７３は、移動自在であって、引違い自在に設けられる。
【００３３】
各竪枠７７，７８にパッキンを備える戸当りを設けるなど、改修枠体７１および第１および第２障子７２，７３には、開口を閉じた状態において他の部材に対向する部分にパッキンが設けられる。改修用下枠１０の新設第１レール２２には、パッキンを装着するための取付部が形成されており、パッキン８０，８１を装着することによって、第１新設レール２２と第１障子７２との間、および第１新設レール２２と第２障子７３との間のシールを達成することができる。このようにパッキンを設けることによって、開口を閉じた状態で、第１および第２障子７２の戸先側の竪框と各竪枠７７，７８との間および第１および第２障子７２の召合框となる竪框間などの隙間をシールし、気密性および水密性を向上することができる。
【００３４】
第２障子７３よりも屋外空間１２側に設けられる最も屋外空間１２寄りの第３障子７４は、２つの竪框、上框および下框を含んで枠組みされる障子枠に網シートを保持して構成される網障子であって、第３新設レール３６上に保持される。この第３障子７４は、夏季などにおいて、開口を開いた状態で、虫などが屋外空間１２から屋内空間１１に侵入しないようにするために用いられる。
【００３５】
以上のような本実施の形態によれば、既設下枠１５の立上り部１９に当接部２１を当接させて、見込み方向の位置決めをし、上述のように新設底部２０を見込み方向に関して２箇所で支持させて、改修用下枠１０を既設下枠１５に、正確な位置に安定した状態で載置することができる。固定位置を調整自在な取付部材４９を用いることによって、第２既設レール１８の切除位置が所定位置からずれても、このずれを許容することができる。このように高い施工精度を必要とすることなく、２箇所での支持を達成できる。この状態で、上述のように、見込み方向に関して２箇所でビス止めされて固定されるので、確りと固定することができる。
【００３６】
改修用下枠１０を既設下枠１５に固定するにあたって、第１既設レール２２を利用して、この第１既設レール１７にビス６３を螺着するように構成するので、既設底部１６に孔を形成する必要がない。したがって既設底部１６には、たとえば雨水などの水を既設の下枠で受けても、その水が下方に通過してしまうおそれのある孔を形成する必要がないので、水密性が低下してしまうことを防ぐことができる。
【００３７】
また単に既設底部１６を避けるのではなく、屋外空間１２側の第２既設レール１８の上部を切除し、第１既設レール１７を利用し、さらにこの第１既設レール１７に屋外空間１２側から臨む傾斜部３０を、第１既設レール１７に固定する構成とすることによって、改修用下枠１０の新設底部２０を、屋外空間１２に水を導くことができる排水勾配を設けることができる。さらに当接部２１を立上り部１９に当接させることによる位置決めも容易になる。
【００３８】
改修用下枠１０の第１および第２レール２２，２３ならびに既設下枠１５の第１および第２レール１８には、排水孔が形成されており、排水勾配によって、たとえば雨水などの水を屋外空間１２に排水することができる。
【００３９】
また改修用下枠１０の第１および第２新設レール２２，２３は、既設下枠１５の立上り部１９の上端部３５よりも下方までしか突出していないので、開口の開口面積を低下させることがない。したがって開口面積および水密性の低下を防止して、既設下枠１５に改修用下枠１０を装着し、既設の枠体１４を改修して、改修枠体７１を容易に形成することができる。
【００４０】
上述の実施の形態は、本発明の例示に過ぎず、本発明の範囲内において構成を変更することができる。たとえば第１および第２既設レール１７，１８ならびに第１および第２新設レール２２，２３の数は、上述のように１つずつに限定されるものではなく、２つ以上でもよいし、相互に異なる数であってもよいし、第４新設レールを設けるようにしてもよい。また改修枠体７１によって保持される障子は、ガラス障子に限定されることはない。また屋内空間１１と屋外空間１２を仕切る壁体１３に設けられる建具に限定されることはなく、たとえば第１空間である脱衣室と第２空間である浴室とを仕切る壁体に設けられる建具に実施するようにしてもよい。また改修用下枠１０を既設下枠に固定するための締結具としビスを用いたが、これに代えて他の締結具を用いてもよい。また改修用下枠１０が既設下枠１５に支持される支持状態で、レール対向部２６が上部２８を切除された第２既設レール１８に当接し、支持されるように、取付部材４９の位置を調整するようにしてもよい。
【００４１】
【発明の効果】
請求項１記載の本発明によれば、既設底部に孔を形成することなく、改修用下枠を既設の下枠に固定することができる。したがって水密性の低下を防止して、既設の下枠に改修用下枠を装着し、枠体を改修することができる。
【００４２】
また本発明によれば、傾斜部と既設の下枠の第１既設レールを利用して固定されるので、既設の下枠の既設底部には、締結具を挿通または螺着させるための孔を形成する必要がない。したがって既設底部には、たとえば雨水などの水を既設の下枠で受けても、その水が下方に通過してしまうおそれのある孔を形成する必要がないので、水密性が低下してしまうことを防ぐことができる。
【図面の簡単な説明】
【図１】本発明の実施の一形態の改修用下枠１０を示す鉛直断面図である。
【図２】改修用下枠１０を既設下枠１５に装着して改修された枠体１４を含む引戸７０を示す鉛直断面図である。
【図３】引戸７０を示す水平断面図である。
【図４】典型的な従来の技術の改修用下枠１を示す断面図である。
【符号の説明】
１０  改修用下枠
１１  屋内空間
１２  屋外空間
１４  既設の枠体
１５  既設の下枠
１６  既設底部
１７  第１既設レール
１８  第２既設レール
１９  立上り部
２０  新設底部
２１  当接部
２２  第１新設レール
２３  第２新設レール
２５  第１被支持部
３０  傾斜部
【図１】
0003720753.tif 000002
【図２】
0003720753.tif 000003
【図３】
0003720753.tif 000004
【図４】
0003720753.tif 000005